(57)【要約】【課題】吐出圧力を調整することができる高圧洗浄機を提供する。【解決手段】高圧水を吐出するノズルを備えた吐出装置１４と、水道水をポンプによって圧縮して吐出装置１４にホースを介して高圧水を送る洗浄機本体１２とを有し、ポンプの駆動源がブラシレスＤＣモータ２８であって、ブラシレスＤＣモータ２８の回転、停止、回転数を制御するインバータ回路３０と制御回路３２を有し、吐出装置１４に設けられた圧力調整ダイヤル４８によって操作された速度指令信号を無線を介して制御回路３２に送信する。【選択図】      図２
2005313008.tif 000002
【特許請求の範囲】
【請求項１】
高圧水を吐出するノズルを備えた吐出装置と、
供給された水をポンプによって圧縮して前記吐出装置にホースを介して高圧水を送る洗浄機本体とを有し、
前記ポンプの駆動源がブラシレスＤＣモータであって、前記ブラシレスＤＣモータの回転数により前記供給される高圧水の圧力が変化する高圧洗浄機において、
前記ブラシレスＤＣモータの回転、停止、回転数を制御する制御手段が設けられ、
前記制御手段を制御するための制御信号を調整して出力する本体操作手段が前記洗浄機本体に設けられ、
前記制御手段を制御するための制御信号を調整して出力するリモコン操作手段が前記吐出装置に設けられ、
前記リモコン操作手段から出力された制御信号を無線によって送信する送信手段が前記吐出装置に設けられ、
前記送信手段からの制御信号を受信して前記制御手段へ出力する受信手段が前記吐出装置に設けられ、
前記洗浄機本体から送られた高圧水によって回転する羽根車が前記吐出装置に設けられ、
前記羽根車の回転によって発電する発電機が前記吐出装置に設けられ、
前記発電された電気によって充電される充電池が前記吐出装置に設けられ、前記充電池によって前記送信手段と前記リモコン操作手段を駆動する
ことを特徴とする高圧洗浄機。
【請求項２】
高圧水を吐出するノズルを備えた吐出装置と、
供給された水をポンプによって圧縮して前記吐出装置にホースを介して高圧水を送る洗浄機本体とを有し、
前記ポンプの駆動源がブラシレスＤＣモータであって、前記ブラシレスＤＣモータの回転数により前記供給される高圧水の圧力が変化する高圧洗浄機において、
前記ブラシレスＤＣモータの回転、停止、回転数を制御する制御手段が設けられ、
前記制御手段を制御するための制御信号を調整して出力する本体操作手段が前記洗浄機本体に設けられ、
前記制御手段を制御するための制御信号を調整して出力するリモコン操作手段が前記吐出装置に設けられ、
前記リモコン操作手段から出力された制御信号を無線によって送信する送信手段が前記吐出装置に設けられ、
前記送信手段からの制御信号を受信して前記制御手段へ出力する受信手段が前記吐出装置に設けられた
ことを特徴とする高圧洗浄機。
【請求項３】
高圧水を吐出するノズルを備えた吐出装置と、
供給された水をポンプによって圧縮して前記吐出装置にホースを介して高圧水を送る洗浄機本体とを有した高圧洗浄機において、
前記洗浄機本体から送られた高圧水によって回転する羽根車が前記吐出装置に設けられ、
前記羽根車の回転によって発電する発電機が前記吐出装置に設けられ、
前記発電された電気によって点灯する照明手段が前記吐出装置に設けられた
ことを特徴とする高圧洗浄機。
【発明の詳細な説明】
【技術分野】
【０００１】
本発明は、一般家庭などで用いられる高圧洗浄機に関するものである。
【背景技術】
【０００２】
従来より、自動車の洗車などに用いられる高圧洗浄機が種々提案されている（例えば、特許文献１参照）。
【０００３】
このような高圧洗浄機は、高圧水を吐出するノズルを備えたピストル型の吐出装置と、水道水をポンプによって圧縮して前記吐出装置にホースを介して高圧水を送る洗浄機本体とからなり、ユーザーは吐出装置を手に持って、高圧水で自動車に向かって噴射させて洗車などをしている。
【特許文献１】特開２００４−２５１８３公報
【発明の開示】
【発明が解決しようとする課題】
【０００４】
上記のような高圧洗浄機においては、高圧水を吹き出すためのポンプ自体に吐出圧力を調整するための機能がなく、ノズルには機械的に高圧水の吐出角を調整する機構が設けられているに過ぎない。
【０００５】
そのため、高圧水の圧力を変化させる場合には、ノズルの吐出角を拡げることに連動して若干の吐出圧を低圧側へ調整することができるに過ぎないため、洗浄対象物によってはさらに低圧で使用したい場合があっても、この水圧の調整ができないため、うまく洗浄ができないという問題点がある。
【０００６】
そこで、本発明は上記問題点に鑑み、吐出圧力を調整することができる高圧洗浄機を提供するものである。
【課題を解決するための手段】
【０００７】
請求項１に係る発明は、高圧水を吐出するノズルを備えた吐出装置と、供給された水をポンプによって圧縮して前記吐出装置にホースを介して高圧水を送る洗浄機本体とを有し、前記ポンプの駆動源がブラシレスＤＣモータであって、前記ブラシレスＤＣモータの回転数により前記供給される高圧水の圧力が変化する高圧洗浄機において、前記ブラシレスＤＣモータの回転、停止、回転数を制御する制御手段が設けられ、前記制御手段を制御するための制御信号を調整して出力する本体操作手段が前記洗浄機本体に設けられ、前記制御手段を制御するための制御信号を調整して出力するリモコン操作手段が前記吐出装置に設けられ、前記リモコン操作手段から出力された制御信号を無線によって送信する送信手段が前記吐出装置に設けられ、前記送信手段からの制御信号を受信して前記制御手段へ出力する受信手段が前記吐出装置に設けられ、前記洗浄機本体から送られた高圧水によって回転する羽根車が前記吐出装置に設けられ、前記羽根車の回転によって発電する発電機が前記吐出装置に設けられ、前記発電された電気によって充電される充電池が前記吐出装置に設けられ、前記充電池によって前記送信手段と前記リモコン操作手段を駆動することを特徴とする高圧洗浄機である。
【０００８】
請求項２に係る発明は、高圧水を吐出するノズルを備えた吐出装置と、供給された水をポンプによって圧縮して前記吐出装置にホースを介して高圧水を送る洗浄機本体とを有し、前記ポンプの駆動源がブラシレスＤＣモータであって、前記ブラシレスＤＣモータの回転数により前記供給される高圧水の圧力が変化する高圧洗浄機において、前記ブラシレスＤＣモータの回転、停止、回転数を制御する制御手段が設けられ、前記制御手段を制御するための制御信号を調整して出力する本体操作手段が前記洗浄機本体に設けられ、前記制御手段を制御するための制御信号を調整して出力するリモコン操作手段が前記吐出装置に設けられ、前記リモコン操作手段から出力された制御信号を無線によって送信する送信手段が前記吐出装置に設けられ、前記送信手段からの制御信号を受信して前記制御手段へ出力する受信手段が前記吐出装置に設けられたことを特徴とする高圧洗浄機である。
【０００９】
請求項３に係る発明は、高圧水を吐出するノズルを備えた吐出装置と、供給された水をポンプによって圧縮して前記吐出装置にホースを介して高圧水を送る洗浄機本体とを有した高圧洗浄機において、前記洗浄機本体から送られた高圧水によって回転する羽根車が前記吐出装置に設けられ、前記羽根車の回転によって発電する発電機が前記吐出装置に設けられ、前記発電された電気によって点灯する照明手段が前記吐出装置に設けられたことを特徴とする高圧洗浄機である。
【発明の効果】
【００１０】
請求項１に係る発明の高圧洗浄機であると、ユーザーが吐出装置を用いて高圧水を吐出する場合に、吐出装置に設けたリモコン操作手段によって洗浄機本体にあるブラシレスＤＣモータの回転数を無線によって操作することができるため、手元で高圧水の圧力を変化させることができる。また、吐出装置に送られてくる高圧水によって羽根車が回転し、この回転した力によって発電機によって電気が発電され、その電気を充電池に充電することによって、送信手段とリモコン操作手段を駆動するため、吐出装置にバッテリーなどを設ける必要がない。また、洗浄機本体では本体操作手段によって圧力の調整ができる。
【００１１】
請求項２に係る発明の高圧洗浄機においては、ユーザーが吐出装置によって高圧水を吐出する場合に、リモコン操作手段を操作することによって無線で洗浄機本体のブラシレスＤＣモータの回転数を制御して高圧水の圧力を制御することができる。また、洗浄機本体では本体操作手段によって圧力の調整ができる。
【００１２】
請求項３に係る発明の高圧洗浄機においては、洗浄機本体から送られた高圧水によって羽根車が回転して発電機によって電気が発電され、この発電された電気によって照明手段が点灯するため、高圧水を吐出する場合にその高圧水が当たる部分が照明手段によって照明されて明るくなり、また、この照明手段を点灯させるためのバッテリーを別途設ける必要がない。
【発明を実施するための最良の形態】
【００１３】
（第１の実施形態）
以下、本発明の第１の実施形態の高圧洗浄機１０について、図１と図２に基づいて説明する。
【００１４】
この高圧洗浄機１０は、一般家庭において水道水から供給された水を高圧にして、自動車の洗車、シャッター、ブロック塀、玄関の洗浄や、芝生、樹木などへの散水などに用いられるものである。
【００１５】
（１）高圧洗浄機１０の全体の構造
まず、高圧洗浄機１０の全体の構造について図１に基づいて説明する。
【００１６】
この高圧洗浄機１０は、洗浄機本体１２と、ピストル型の吐出装置１４とより構成され、洗浄機本体１２と吐出装置１４との間は高圧ホース１６によって接続されている。
【００１７】
洗浄機本体１２には、家庭用の水道水を送り込むための吸入口１８が設けられ、この吸入口１８から供給された水が洗浄機本体１２内部のポンプ２０によって高圧にされ、高圧ホース１６を介して吐出装置１４に送り込まれる。
【００１８】
（２）吐出装置１４の構造
図１に基づいて吐出装置１４の構造について説明する。
【００１９】
上記で説明したように吐出装置１４はピストル型であって、その先端にノズル２２が設けられ、ユーザーが吐出装置１４を持つためのグリップ２４が設けられている。このグリップ２４の前部には、噴射する水の圧力を調整するためのレバー２６が設けられている。
【００２０】
このレバー２６の操作を行うことによりストロークが変化し、このストロークの変化に対応して、ノズル２２の吐出口の開閉度を調整する開閉部材を調整できる。すなわち、このレバー２６をグリップ２４側にストロークさせると、ノズル２２の吐出口の開閉部材が開く方向に動き、レバー２６をグリップ２４側とは反対の方向にストロークさせるとノズル２２の吐出口を閉じる方向に開閉部材が動作する。
【００２１】
（３）高圧洗浄機１０の電気的構成
次に、図２に基づいて高圧洗浄機１０の電気的構成について説明する。
【００２２】
洗浄機本体１２内部のポンプ２０は、ブラシレスＤＣモータ（以下、単にモータという）２８によって駆動し、モータ２８の回転数によってその高圧水の圧力を変化させることができる。モータ２８の回転数が上昇すれば、高圧水の圧力が高くなる。
【００２３】
モータ２８は、インバータ回路３０から供給された駆動電流によって供給し、このインバータ回路３０は制御回路３２からの駆動信号によって制御される。制御回路３２は、モータ２８に設けられているホールＩＣからの信号に基づいてモータ２８の回転数が入力し、また、外部からの速度指令信号が入力し、この速度指令信号と検知した回転数に基づいてフィードバック制御を行ない、ＰＷＭ制御を行なって駆動信号をインバータ回路３０に出力している。これによって、速度指令信号に合致するようにモータ２８が回転する。
【００２４】
モータ２８のインバータ回路３０は、交流１００Ｖの交流電源３４から整流平滑回路３６を経て直流電流が供給される。この供給された直流電流によってインバータ回路３０はモータ２８に駆動電流を供給する。
【００２５】
制御回路３２に速度指令信号を供給するために、洗浄機本体１２には本体操作回路３８が設けられている。この本体操作回路３８には、ユーザーが調整するための圧力調整ダイヤル３９が設けられ、この圧力調整ダイヤル３９を調整して本体操作回路３８から制御回路３２に速度指令信号を調整して出力して、高圧水の圧力を調整することができる。
【００２６】
吐出装置１４には、モータ２８の回転数を調整するためのリモコン操作回路４２が設けられ、このリモコン操作回路４２によって出力された速度指令信号を送信回路４４を経て洗浄機本体１２の受信回路４０に送信する。受信回路４０は、この受信した速度指令信号を制御回路３２に出力する。リモコン操作回路４２と送信回路４４は、バッテリー４６によって駆動する。リモコン操作回路４２には、ユーザーがその圧力を調整するための圧力調整ダイヤル４８が設けられている。
【００２７】
（４）高圧洗浄機１０の操作状態
高圧洗浄機１０によって自動車を洗車する場合には、ユーザーは吸入口１８に水道水を送るためのホースを接続し、洗浄機本体１２には、家庭用の１００Ｖの交流電源３４を接続する。そして、ユーザーは吐出装置１４を手に持ってノズル２２を自動車の方向に向け、高圧水をノズル２２の吐出口から噴出させ洗車を行う。レバー２６を操作して吐出口の開閉状態を調整し、高圧水の噴出状態を調整することができる。また、高圧水の圧力を調整する場合には圧力調整ダイヤル４８を操作して、モータ２８の回転数を変化させ、高圧水の圧力を調整する。この場合に、吐出装置１４と洗浄機本体１２とは無線によって速度指令信号が送られているため、高圧ホース１６に配線などを設ける必要がなく、水と電気による感電の危険を完全に防止することができる。また、洗浄機本体１２にも本体操作回路３８における圧力調整ダイヤル３９が設けられているため、洗浄機本体１２でも高圧水の圧力を調整することができる。
【００２８】
（第２の実施形態）
第２の実施形態の高圧洗浄機１０について図３に基づいて説明する。
【００２９】
本実施形態と第１の実施形態の異なる点は、第１の実施形態の高圧洗浄機１０においてはバッテリー４６を吐出装置１４に取り付けたが、本実施形態ではこのバッテリー４６に代えて、発電機を設ける点にある。
【００３０】
図３に示すように、洗浄機本体１２から送られてきた高圧水を吐出装置１４のフレーム５０内部で噴出させ、この噴出した高圧水によって羽根車５２を回転させる。羽根車５２の回転軸５４には発電用モータ５６が連結され、羽根車５２が回転するとこの発電用モータ５６が発電して充電池５８に充電を行う。この充電された充電池５８を用いてリモコン操作回路４２及び送信回路４４を駆動させる。
【００３１】
また、この羽根車５２が不要な場合には、フレーム５０から取り外しが可能となっている。
【００３２】
これによって、バッテリー４６を吐出装置１４に取り付けることなく、高圧水によって発電を行ない速度指令信号を送受信することができる。
【００３３】
（第３の実施形態）
次に、第３の実施形態の高圧洗浄機１０について図４に基づいて説明する。
【００３４】
本実施形態と第２の実施形態の異なる点は、発電用モータ５６によって発電された電気を充電池５８に充電させるだけでなく、吐出装置１４のフレーム５０の上部に設けられた照明装置６０を照明させる点にある。
【００３５】
この照明装置６０は、ＬＥＤよりなり、低い電圧で高い輝度を得ることができる。ユーザーは、洗浄を行っているときに照明装置６０が点灯するため、洗浄される部分が明るく照明され夜間であっても作業を行ない易い。
【００３６】
（変更例）
第３の実施形態では照明装置６０とリモコン操作回路４２と送信回路４４とを発電用モータ５６を用いて駆動させたが、これに限らず、発電用モータ５６で照明装置６０のみを照明させてもよい。
【産業上の利用可能性】
【００３７】
本発明は、一般家庭用の高圧洗浄機に好適であり、特に吐出装置の手元で圧力を変化させて操作するような作業に好適である。
【図面の簡単な説明】
【００３８】
【図１】本発明の第１の実施形態を示す高圧洗浄機の斜視図である。
【図２】同じく高圧洗浄機のブロック図である。
【図３】第２の実施形態の吐出装置の一部欠裁側面図である。
【図４】第３の実施形態の吐出装置の一部欠裁側面図である。
【符号の説明】
【００３９】
１０  高圧洗浄機
１２  洗浄機本体
１４  吐出装置
１６  高圧ホース
１８  吸入口
２０  ポンプ
２２  ノズル
２４  グリップ
２６  レバー
２８  モータ
３０  インバータ回路
３２  制御回路
３４  交流電源
３６  整流平滑回路
３８  本体操作回路
３９  圧力調整ダイヤル
４０  受信回路
４２  リモコン操作回路
４４  送信回路
４６  バッテリー
４８  圧力調整ダイヤル
【図１】
2005313008.tif 000003
【図２】
2005313008.tif 000004
【図３】
2005313008.tif 000005
【図４】
2005313008.tif 000006